(57)【要約】【課題】  現金預払機を利用する際に、挿入したキャッシュカードのカード番号が見えないようにして、隠しカメラで盗み撮りしてもカード番号が読み取れず偽造カード作製を不可能にする。【解決手段】  現金預払機のカード挿入口７にキャッシュカード３を挿入・引抜する際にキャッシュカード３にキャッシュカードカバー１を被せるようにする。キャッシュカードカバー１は、キャッシュカード３の短辺より幅広で、キャッシュカード３の長辺より短い側縁を有する不透明なシートを２枚重ねて、両シートの側縁同士を連結して鞘状にし、両シート間にキャッシュカード３を貫挿可能とする。そして、その表裏両面に開孔２を設けて、指で直接キャッシュカード３を掴めるようにする。【選択図】        図３
0003120520.tif 000002
【実用新案登録請求の範囲】
【請求項１】
キャッシュカードを現金預払機に挿入・引抜する際にキャッシュカードに被せるキャッシュカードカバーであって、
キャッシュカードの短辺より幅広で、キャッシュカードの長辺より短尺な側縁を有する不透明なシートを２枚重ね、両シートの側縁同士を連結して鞘状とし、少なくとも一方のシート面に開孔を設けたことを特徴とするキャッシュカードカバー。
【請求項２】
前記開孔を表裏両シートの重なる位置に設けて連通させたことを特徴とする請求項１に記載のキャッシュカードカバー。
【請求項３】
前記開孔を中心軸より前記側縁方向に片寄らせて設けたことを特徴とする請求項１または２に記載のキャッシュカードカバー。
【請求項４】
前記開孔を前記側縁と平行な方向に延びる長孔としたことを特徴とする請求項１，２または３に記載のキャッシュカードカバー。
【請求項５】
前記シートの表面に印刷表示を施したことを特徴とする請求項１，２，３または４に記載のキャッシュカードカバー。
【考案の詳細な説明】
【技術分野】
【０００１】
本考案は、銀行，信用金庫，郵便局等の現金預払機にキャッシュカードを挿入する際に、キャッシュカードに装着するキャッシュカードカバーに関するものである。
【背景技術】
【０００２】
昨今、銀行，信用金庫等の金融機関が設置した現金預払機に隠しカメラをセットして、現金預払機に挿入したキャッシュカードのカード番号と、入力した暗証番号を盗み撮りして、偽造カードを作製し、預貯金を騙し取るという事件が多発している。
【考案の開示】
【考案が解決しようとする課題】
【０００３】
そのような偽造カード対策として、各金融機関は、種々検討を重ねているが根本的な解決策は見出せていないのが現状である。
【０００４】
本考案は、そのような現状に鑑み、現金預払機を利用する際に、挿入したキャッシュカードのカード番号が見えないようにして、隠しカメラで盗み撮りしてもカード番号が読み取れず偽造カード作製を不可能にすることを目的とするものである。
【課題を解決するための手段】
【０００５】
前記課題を解決するため、本願の請求項１にかかる考案は、キャッシュカードを現金預払機に挿入・引抜する際にキャッシュカードに被せるキャッシュカードカバーであって、キャッシュカードの短辺より幅広で、キャッシュカードの長辺より短尺な側縁を有する不透明なシートを２枚重ね、両シートの側縁同士を連結して鞘状とし、少なくとも一方のシート面に開孔を設けたことを特徴とする。
【０００６】
また、本願の請求項２にかかる考案は、請求項１にかかる考案において、前記開孔を表裏両シートの重なる位置に設けて連通させたことを特徴とする。
【０００７】
また、本願の請求項３にかかる考案は、請求項１又は２にかかる考案において、前記開孔を中心軸より前記側縁方向に片寄らせて設けたことを特徴とする。
【０００８】
また、本願の請求項４にかかる考案は、請求項１，２又は３にかかる考案において、前記開孔を前記側縁と平行な方向に延びる長孔としたことを特徴とする。
【０００９】
また、本願の請求項５にかかる考案は、請求項１，２，３又は４にかかる考案において、前記シートの表面に印刷表示を施したことを特徴とする。
【考案の効果】
【００１０】
本考案のキャッシュカードカバーは、次のような効果を奏する。
すなわち、請求項１にかかるキャッシュカードカバーの考案においては、キャッシュカードの短辺より幅広で、キャッシュカードの長辺より短尺な側縁を有する不透明なシートを２枚重ね、両シートの側縁同士を連結して鞘状とし、キャッシュカードを現金預払機に挿入・引抜する際に、それをキャッシュカードに装着した状態で行えるようにした。その結果、現金預払機を利用する際に、キャッシュカードのカード番号がキャッシュカードカバーに隠れて見えなくなり、隠しカメラで盗み撮りしてもカード番号が読み取れなくなる。また、シート面に開孔を設けたので、その開孔を通して指で直接キャッシュカードを掴むことができて、キャッシュカードを現金預払機に挿入したり、現金預払機から抜き取ったりする操作が容易になる。
【００１１】
また、請求項２にかかる考案においては、請求項１にかかるキャッシュカードカバーにおいて、前記開孔を表裏両シートの重なる位置に設けて連通させたので、両面の開孔を通して指で、キャッシュカードを両面からしっかり掴むことができてキャッシュカードを現金預払機に挿入・引抜する操作がより一層容易になる。
【００１２】
また、請求項３にかかる考案においては、請求項１又は２にかかるキャッシュカードカバーにおいて、前記開孔を中心軸より前記側縁方向に片寄らせて設けたので、開孔がキャッシュカードの上半部になるようにキャッシュカードカバーを装着することにより、キャッシュカードの前面下部に設けられているカード番号等を確実に隠すことができる。
【００１３】
また、請求項４にかかる考案においては、請求項１，２又は３にかかるキャッシュカードカバーにおいて、前記開孔を前記側縁と平行な方向に延びる長孔としたので、キャッシュカードを指で掴む位置が適宜移動できて、操作性がより一層向上する。
【００１４】
また、請求項５にかかる考案においては、請求項１，２，３又は４にかかるキャッシュカードカバーにおいて、前記シートの表面に印刷表示を施すようにしたので、金融機関名，注意書き等をキャッシュカードカバーに印刷することにより、ＰＲ活動に利用できる。
【考案を実施するための最良の形態】
【００１５】
以下、本考案の実施例を図面に基づいて詳細に説明する。
【実施例１】
【００１６】
図１は、キャッシュカードとキャッシュカードカバーを示す図である。図１において、１はキャッシュカードカバー、２は開孔、３はキャッシュカード、４は磁気テープ層、５はカード番号、６は名義人名である。キャッシュカードカバー１は、不透明なプラスチックシート２枚を重ね、両シートの側縁同士を連結して鞘状とし、両シート間にキャッシュカード３を収納できるようにしている。両シートのサイズは、キャッシュカード３の長辺より短くして、図２に示すように、キャッシュカードカバー１にキャッシュカード３を貫挿したとき、キャッシュカード３の先端部がキャッシュカードカバー１から突出するようにする。
【００１７】
なお、両シートの側縁同士を連結した状態にする手段としては、２枚のプラスチックシートを重ねてその両側縁同士を接着あるいは溶着させてもよいし、筒状のプラスチックシートを両側から板状に圧縮して成形してもよい。その両シートには、横長の開孔２を、中心軸より側縁方向に片寄らせ、かつ、両シートの重なる位置に連通させて設ける。
【００１８】
そして、キャッシュカード３を現金預払機に挿入したり、現金預払機から抜き取ったりする際には、図２に示すように、キャッシュカードカバー１をキャッシュカード３に装着した状態で行う。図２（イ）は、表側から見たもので、図２（ロ）は、裏側から見たものである。図２（イ）から明らかなように、キャッシュカードカバー１をキャッシュカード３に装着すると、キャッシュカード３に示されるカード番号５と名義人名６が、キャッシュカードカバー１により覆われて見えなくなる。
【００１９】
図３は、キャッシュカードを使用する状態を示す図である。図３において、図１及び図２に示されるものと同一のものには同一の符号を付してあり、７は現金預払機のカード挿入口である。
【００２０】
カード番号５が記録されている側が開孔２の反対側になるようにし、キャッシュカード３をキャッシュカードカバー１の中に収納し、キャッシュカード３の先端をキャッシュカードカバー１の先端から突出させるようにする。そして、表裏の開孔２を通して手の指で直接キャッシュカード３を掴んでキャッシュカード３の先端部を現金預払機のカード挿入口７に挿入する。
【００２１】
また、現金預払機での処理終了後、カード挿入口７からキャッシュカード３が排出された際には、カード挿入口７から突出したキャッシュカード３の先端部をキャッシュカードカバー１に差し込んでから、表裏の開孔２を通して手の指で直接キャッシュカード３を掴んでキャッシュカード３をカード挿入口７から引き抜く。
【００２２】
このようにすれば、現金預払機を利用する際に、キャッシュカード３のカード番号５がキャッシュカードカバー１に隠れて見えなくなり、仮に隠しカメラで盗み撮りされてもカード番号は読み取れなくなる。また、キャッシュカードカバー１には開孔２を設けたので、その開孔２を通して指で直接キャッシュカード３を掴むことができて、キャッシュカード３を現金預払機のカード挿入口７に挿入したり、カード挿入口７から抜き取ったりする操作が容易になる。
【００２３】
なお、上記実施例では、開孔２をキャッシュカードカバー１の表裏両面に設けたが、表裏の一方の面だけに設けるようにしても使用可能である。ただ、表裏両面に設けた方がキャッシュカード３をしっかり掴むことができて、操作が容易になる。また、上記実施例では、キャッシュカードカバー１の先端と後端の両方を開口させているが、後端を閉じて全体を袋状にしてもよい。
【図面の簡単な説明】
【００２４】
【図１】キャッシュカードとキャッシュカードカバーを示す図である。
【図２】キャッシュカードカバーをキャッシュカードに装着した状態を示す図である。
【図３】キャッシュカードを使用する状態を示す図である。
【符号の説明】
【００２５】
１…キャッシュカードカバー
２…開孔
３…キャッシュカード
４…磁気テープ層
５…カード番号
６…名義人名
７…カード挿入口
【図１】
0003120520.tif 000003
【図２】
0003120520.tif 000004
【図３】
0003120520.tif 000005